(57)【要約】【課題】センサ部の長手方向に検知範囲を広くすることができる異物検知センサを提供する。【解決手段】センサ部２１の中空絶縁体２２の内部には、電極線２３，２４が互いに離間して配置されている。封止部材３４は、センサ部２１の長手方向の端部と隣り合って配置されたターミナル３３、ターミナル３３とリード線７１，７２との接続部分であるリード線接続部Ｐ２、ターミナル３３と電極線２３，２４との接続部分である電極接続部Ｐ１及び中空絶縁体２２の長手方向の端部を内部に封止している。リード線７１，７２は、その長手方向がセンサ部２１の長手方向と直角以下の角度をなすようにターミナル３３に対して配置されている。リード線接続部Ｐ２は、電極接続部Ｐ１に対し、封止部材３４からリード線７１，７２が引き出される引出位置Ｐ３に近づくようにターミナル３３上でセンサ部２１の長手方向と直交する方向にずれている。【選択図】図５
2013232397.tif 000002
【特許請求の範囲】
【請求項１】
長尺状をなし弾性及び絶縁性を有する中空状の中空絶縁体及び該中空絶縁体の内部に互いに離間して配置された複数の電極線を有する長尺状のセンサ部と、前記中空絶縁体の長手方向の端部から引き出された複数の前記電極線がそれぞれ電気的に接続される複数のリード線とを備え、異物から外力を受けて前記センサ部が弾性変形されることにより前記異物を検知する異物検知センサであって、
前記センサ部の長手方向の端部と隣り合うように配置され前記電極線及び前記リード線が電気的に接続される複数のターミナルと、
前記ターミナル、前記ターミナルと前記リード線との接続部分であるリード線接続部、前記ターミナルと前記電極線との接続部分である電極接続部及び前記中空絶縁体の長手方向の端部を内部に封止した封止部材と、を備え、
前記リード線は、前記リード線の長手方向が前記センサ部の長手方向と直角以下の角度をなすように前記ターミナルに対して配置され、
前記リード線接続部は、前記電極接続部に対し、前記封止部材から前記リード線が引き出される引出位置に近づくように前記ターミナル上で前記センサ部の長手方向と直交する方向にずれていることを特徴とする異物検知センサ。
【請求項２】
請求項１に記載の異物検知センサにおいて、
複数の前記ターミナルは多重構造をなすことを特徴とする異物検知センサ。
【請求項３】
請求項１又は請求項２に記載の異物検知センサにおいて、
前記リード線は、前記リード線接続部から前記引出位置まで直線的に延びるとともに、前記センサ部の長手方向と直交する方向に前記センサ部と隣り合い且つ前記センサ部と平行をなすように前記封止部材から引き出されていることを特徴とする異物検知センサ。
【請求項４】
請求項１乃至請求項３の何れか１項に記載の異物検知センサにおいて、
各前記ターミナルは、短手方向及び長手方向を有する板状をなすとともに、その短手方向が前記センサ部の長手方向と一致するように前記センサ部の長手方向の端部と隣り合って配置されていることを特徴とする異物検知センサ。
【請求項５】
請求項１乃至請求項４の何れか１項に記載の異物検知センサにおいて、
前記封止部材は、前記中空絶縁体の外周面よりも外側に突出し前記センサ部を取付け場所に取り付けるためのブラケットに取り付けられる取付脚を有し、
前記ターミナルの一部は、前記取付脚の内部に埋設されていることを特徴とする異物検知センサ。
【請求項６】
請求項１乃至請求項５の何れか１項に記載の異物検知センサにおいて、
複数の前記ターミナルを互いに絶縁しつつ前記ターミナルを支持する支持部材を備えたことを特徴とする異物検知センサ。
【請求項７】
請求項５又は請求項６に記載の異物検知センサにおいて、
前記封止部材は、前記中空絶縁体の外周面よりも外側に突出し前記センサ部を取付け場所に取り付けるためのブラケットに取り付けられる取付脚を有し、
前記取付脚は、前記ブラケットに係合される取付凹部を有し、
前記ターミナルの一部は、前記取付脚の内部で前記取付凹部の背面に埋設されていることを特徴とする異物検知センサ。
【請求項８】
請求項１乃至請求項７の何れか１項に記載の異物検知センサにおいて、
前記中空絶縁体の外周面には、前記中空絶縁体の長手方向に沿って延び、前記センサ部を取付け場所に取り付けるためのブラケット若しくは前記取付け場所に前記中空絶縁体を貼着固定するための貼着面が設けられており、
前記封止部材は、前記センサ部の長手方向と直交する一方向に長手となるとともに、前記貼着面の背面側よりも前記貼着面の正面側に長いことを特徴とする異物検知センサ。
【請求項９】
請求項１乃至請求項８の何れか１項に記載の異物検知センサにおいて、
前記センサ部の長手方向の両端部のうち前記ターミナルが配置された側と反対側の端部と隣り合うように配置され前記電極線及び抵抗素子が電気的に接続される複数の素子接続ターミナルと、
前記素子接続ターミナル、前記抵抗素子、前記素子接続ターミナルと前記抵抗素子との接続部分である素子接続部、前記素子接続ターミナルと前記電極線との接続部分である素子側電極接続部及び前記中空絶縁体における前記素子接続ターミナルと隣り合う長手方向の端部を内部に封止した素子側封止部材と、を備え、
前記素子接続ターミナルは、短手方向及び長手方向を有する板状をなすとともに、その短手方向が前記センサ部の長手方向と一致するように配置され、
前記抵抗素子は、前記素子接続ターミナルの短手方向の両端のうち前記センサ部と反対側の端よりも前記センサ部に近い位置に配置され、
前記素子接続部は、前記素子側電極接続部に対し、前記素子接続ターミナル上で前記センサ部の長手方向と直交する方向にずれていることを特徴とする異物検知センサ。
【発明の詳細な説明】
【技術分野】
【０００１】
本発明は、異物検知センサに関するものである。
【背景技術】
【０００２】
従来、モータ等の駆動力により電動でドアパネルを移動させて車体に形成された開口部（乗降口、後部開口部等）を開閉する電動ドア開閉装置には、開口部の周縁部とドアパネルとの間への異物の挟み込みを防止するために、開口部の周縁部とドアパネルとの間に存在する異物を検知するための異物検知センサを備えたものがある。
【０００３】
例えば特許文献１に記載された異物検知センサは、長尺状をなし異物が接触すると弾性変形するセンサ部を備えるとともに、該センサ部は、ドアパネルの端部に上下方向に延びるように取り付けられている。このセンサ部の下端部には、同センサ部に電流を供給するためのリード線が接続されている。リード線は、センサ部の下端部からセンサ部の長手方向に延びるように同センサ部の下端部に接続されるとともに、センサ部の下端部において上方に折り返された後にドアパネルの内部に引き込まれている。即ち、リード線は、センサ部の下端部から同センサ部の長手方向に沿って下方に延びた後に略Ｕ字状をなすように上方に折り返されてドアパネルの内部に引き込まれている。この異物検知センサでは、センサ部に接触した異物によって同センサ部が弾性変形されることにより同異物を検知する。
【先行技術文献】
【特許文献】
【０００４】
【特許文献１】特開２００７−１７６３２２号公報
【発明の概要】
【発明が解決しようとする課題】
【０００５】
ところで、上記の異物検知センサは、センサ部だけでなく同センサ部の下端部において略Ｕ字状に折り返されたリード線も、ドアパネルの端部において同ドアパネルの上下方向の範囲内に収まるように配置される。そのため、センサ部の下端部において略Ｕ字状に折り返されたリード線の分だけ、センサ部を配置する範囲が同センサ部の長手方向に狭くなり、結果的にセンサ部の長さが短くなってしまう。そして、異物検知センサは、センサ部に接触した異物を検知するものであるため、センサ部の長さが短くなると、異物を検知する範囲がセンサ部の長手方向に狭くなってしまうという問題があった。
【０００６】
本発明は、こうした実情に鑑みてなされたものであって、その目的は、センサ部の長手方向に検知範囲を広くすることができる異物検知センサを提供することにある。
【課題を解決するための手段】
【０００７】
上記課題を解決するため、請求項１に記載の発明は、長尺状をなし弾性及び絶縁性を有する中空状の中空絶縁体及び該中空絶縁体の内部に互いに離間して配置された複数の電極線を有する長尺状のセンサ部と、前記中空絶縁体の長手方向の端部から引き出された複数の前記電極線がそれぞれ電気的に接続される複数のリード線とを備え、異物から外力を受けて前記センサ部が弾性変形されることにより前記異物を検知する異物検知センサであって、前記センサ部の長手方向の端部と隣り合うように配置され前記電極線及び前記リード線が電気的に接続される複数のターミナルと、前記ターミナル、前記ターミナルと前記リード線との接続部分であるリード線接続部、前記ターミナルと前記電極線との接続部分である電極接続部及び前記中空絶縁体の長手方向の端部を内部に封止した封止部材と、を備え、前記リード線は、前記リード線の長手方向が前記センサ部の長手方向と直角以下の角度をなすように前記ターミナルに対して配置され、前記リード線接続部は、前記電極接続部に対し、前記封止部材から前記リード線が引き出される引出位置に近づくように前記ターミナル上で前記センサ部の長手方向と直交する方向にずれていることをその要旨としている。
【０００８】
同構成によれば、リード線は、同リード線の長手方向がセンサ部の長手方向と直角以下の角度をなすようにターミナルに対して配置されている。従って、リード線をセンサ部における同リード線が接続された側の端部とは反対側の端部の方に向かって延びるように整形した場合、同リード線がセンサ部の長手方向に封止部材よりも突出することが抑制される。よって、リード線がセンサ部の長手方向に封止部材よりも突出しない分だけ、センサ部をその長手方向に長くすることができる。その結果、異物検知センサにおいて、センサ部の長手方向に異物の検知範囲を広くすることができる。また、リード線接続部は、電極接続部に対し、封止部材からリード線が引き出される引出位置に近づくようにターミナル上でセンサ部の長手方向と直交する方向にずれているため、ターミナルに接続されるリード線の先端が引出位置に近づく。従って、使用するリード線の長さを短くすることができる。
【０００９】
請求項２に記載の発明は、請求項１に記載の異物検知センサにおいて、複数の前記ターミナルは多重構造をなすことをその要旨としている。
同構成によれば、複数のターミナルを重ねることなく並設する場合に比べて、封止部材をセンサ部の長手方向に小型化することができる。そして、封止部材を長手方向に短くした分だけ、センサ部をその長手方向に長くすることができる。その結果、異物検知センサにおいて、センサ部の長手方向に異物の検知範囲をより広くすることができる。
【００１０】
請求項３に記載の発明は、請求項１又は請求項２に記載の異物検知センサにおいて、前記リード線は、前記リード線接続部から前記引出位置まで直線的に延びるとともに、前記センサ部の長手方向と直交する方向に前記センサ部と隣り合い且つ前記センサ部と平行をなすように前記封止部材から引き出されていることをその要旨としている。
【００１１】
同構成によれば、封止部材から引き出されたリード線は、センサ部における同リード線が接続された側の長手方向の端部付近では、センサ部における同リード線が接続された側の端部と反対側の端部の方に向かって延びることになる。従って、リード線を湾曲させなくとも、リード線をセンサ部における同リード線が接続された側の端部と反対側の端部の方に向かって延びるように配置することができる。また、センサ部の長手方向と直交する方向において、リード線を配置するスペースを狭くすることができる。
【００１２】
請求項４に記載の発明は、請求項１乃至請求項３の何れか１項に記載の異物検知センサにおいて、各前記ターミナルは、短手方向及び長手方向を有する板状をなすとともに、その短手方向が前記センサ部の長手方向と一致するように前記センサ部の長手方向の端部と隣り合って配置されていることをその要旨としている。
【００１３】
同構成によれば、ターミナルは、該ターミナルの短手方向がセンサ部の長手方向と一致するように配置されるため、ターミナル及び該ターミナルを内部に封止する封止部材をセンサ部の長手方向に小型化することができる。そして、封止部材を長手方向に小型化した分だけ、センサ部をその長手方向により長くすることができる。その結果、異物検知センサにおいて、センサ部の長手方向に異物の検知範囲を更に広くすることができる。
【００１４】
請求項５に記載の発明は、請求項１乃至請求項４の何れか１項に記載の異物検知センサにおいて、前記封止部材は、前記中空絶縁体の外周面よりも外側に突出し前記センサ部を取付け場所に取り付けるためのブラケットに取り付けられる取付脚を有し、前記ターミナルの一部は、前記取付脚の内部に埋設されていることをその要旨としている。
【００１５】
同構成によれば、ターミナルの一部が取付脚の内部に埋設されているため、中空絶縁体の外周面よりも外側に突出した取付脚を同ターミナルによって補強することができる。
請求項６に記載の発明は、請求項１乃至請求項５の何れか１項に記載の異物検知センサにおいて、複数の前記ターミナルを互いに絶縁しつつ前記ターミナルを支持する支持部材を備えたことをその要旨としている。
【００１６】
同構成によれば、支持部材によってターミナルを補強することができる。また、支持部材によってターミナルを支持することにより、ターミナル同士を離間させた状態に容易に維持することができるため、複数のターミナル同士の電気的な絶縁を確保しやすい。また、支持部材をセンサ部に対して配置することにより複数のターミナルをセンサ部に対して配置できるため、複数のターミナルのセンサ部に対する位置決めを容易に行うことができる。
【００１７】
請求項７に記載の発明は、請求項５又は請求項６に記載の異物検知センサにおいて、前記封止部材は、前記中空絶縁体の外周面よりも外側に突出し前記センサ部を取付け場所に取り付けるためのブラケットに取り付けられる取付脚を有し、前記取付脚は、前記ブラケットに係合される取付凹部を有し、前記ターミナルの一部は、前記取付脚の内部で前記取付凹部の背面に埋設されていることをその要旨としている。
【００１８】
同構成によれば、取付脚において取付凹部が形成されることによりその幅が狭くなった部分には、ターミナルの一部が埋設されている。従って、取付脚において取付凹部が形成された部分付近を、ターミナルによって補強することができる。
【００１９】
請求項８に記載の発明は、請求項１乃至請求項７の何れか１項に記載の異物検知センサにおいて、前記中空絶縁体の外周面には、前記中空絶縁体の長手方向に沿って延び、前記センサ部を取付け場所に取り付けるためのブラケット若しくは前記取付け場所に前記中空絶縁体を貼着固定するための貼着面が設けられており、前記封止部材は、前記センサ部の長手方向と直交する一方向に長手となるとともに、前記貼着面の背面側よりも前記貼着面の正面側に長いことをその要旨としている。
【００２０】
同構成によれば、センサ部の長手方向と直交する一方向に長手となる封止部材は、中空絶縁体の外周面に設けられた貼着面の背面側よりも正面側に長い。そのため、ブラケット若しくは取付け場所に貼着面が貼着された状態において、封止部材が中空絶縁体の外周面よりも貼着面の背面側に大きく突出することを抑制することができる。従って、取付け場所に取り付けられた異物検知センサの見映えを向上させることができる。
【００２１】
請求項９に記載の発明は、請求項１乃至請求項８の何れか１項に記載の異物検知センサにおいて、前記センサ部の長手方向の両端部のうち前記ターミナルが配置された側と反対側の端部と隣り合うように配置され前記電極線及び抵抗素子が電気的に接続される複数の素子接続ターミナルと、前記素子接続ターミナル、前記抵抗素子、前記素子接続ターミナルと前記抵抗素子との接続部分である素子接続部、前記素子接続ターミナルと前記電極線との接続部分である素子側電極接続部及び前記中空絶縁体における前記素子接続ターミナルと隣り合う長手方向の端部を内部に封止した素子側封止部材と、を備え、前記素子接続ターミナルは、短手方向及び長手方向を有する板状をなすとともに、その短手方向が前記センサ部の長手方向と一致するように配置され、前記抵抗素子は、前記素子接続ターミナルの短手方向の両端のうち前記センサ部と反対側の端よりも前記センサ部に近い位置に配置され、前記素子接続部は、前記素子側電極接続部に対し、前記素子接続ターミナル上で前記センサ部の長手方向と直交する方向にずれていることをその要旨としている。
【００２２】
同構成によれば、素子接続部が、素子側電極接続部に対して素子接続ターミナル上でセンサ部の長手方向と直交する方向にずれているため、抵抗素子を、素子接続ターミナルの短手方向の両端のうちセンサ部と反対側の端よりもセンサ部に近い位置に配置しやすい。そして、抵抗素子を、素子接続ターミナルの短手方向の両端のうちセンサ部と反対側の端よりもセンサ部に近い位置に配置することにより、抵抗素子が素子接続ターミナルよりもセンサ部の長手方向にセンサ部と反対側に突出して配置される場合に比べて、素子側封止部材をセンサ部の長手方向に小型化することが可能となる。従って、素子接続ターミナルが配置された側のセンサ部の長手方向の端部において、センサ部をその長手方向に長くすることができる。その結果、センサ部の長手方向に異物の検知範囲をより広くすることができる。
【発明の効果】
【００２３】
本発明によれば、センサ部の長手方向に検知範囲を広くすることができる異物検知センサを提供できる。
【図面の簡単な説明】
【００２４】
【図１】異物検知装置を搭載した車両の概略図。
【図２】電動バックドア装置の電気的構成を示すブロック図。
【図３】センサ部の斜視図。
【図４】異物検知センサの断面図。
【図５】（ａ）及び（ｂ）は異物検知センサの部分断面図。
【図６】（ａ）及び（ｂ）は別の形態の異物検知センサの部分断面図。
【図７】別の形態の異物検知センサの断面図。
【図８】別の形態の異物検知センサにおける端末部付近の概略図。
【図９】別の形態の異物検知センサの部分断面図。
【図１０】（ａ）及び（ｂ）は別の形態の異物検知センサの部分断面図。
【図１１】（ａ）及び（ｂ）は別の形態の異物検知センサの部分断面図。
【発明を実施するための形態】
【００２５】
以下、本発明を具体化した一実施形態を図面に従って説明する。
図１に示すように、車両１は電動バックドア装置２を搭載している。車両１を構成する車体３の後部には、後部開口部４が形成されるとともに、この後部開口部４は、該後部開口部４に対応した形状をなすドアパネル５によって開閉される。ドアパネル５は、その上端部が車体３の後部側面の上端部に回動可能に連結されており、車体３との連結部分を回動中心として、該ドアパネル５の下端部が上下方向に移動するように回動可能である。尚、ドアパネル５は、全閉位置と全開位置との間で移動される。全閉位置は、ドアパネル５が後部開口部４を完全に閉鎖する位置であり、全開位置は、ドアパネル５が後部開口部４を完全に開放する位置である。
【００２６】
図１及び図２に示すように、ドアパネル５には、アクチュエータ６を備え車体３側に配置された駆動機構（図示略）が接続されている。電動バックドア装置２では、このアクチュエータ６が駆動されると、ドアパネル５が上下方向に回動されて後部開口部４を開閉するようになっている。
【００２７】
図２に示すように、前記アクチュエータ６は、モータ７と、該モータ７の回転を減速して出力する減速機構（図示略）とを備えている。また、アクチュエータ６内には、モータ７の回転を検出する位置検出装置８が配置されている。位置検出装置８は、例えば、モータ７の回転軸（図示略）若しくは前記減速機構を構成する減速ギヤ（図示略）と一体回転するように設けられた磁石と、該磁石に対向配置されたホールＩＣ（図示略）とから構成されている。そして、ホールＩＣは、位置検出信号として、磁石の回転による該磁石の磁界の変化に応じたパルス信号を出力する。
【００２８】
また、電動バックドア装置２は、ドアパネル５の開閉を指示するための操作スイッチ９を備えている。図１及び図２に示すように、この操作スイッチ９は、車両１の搭乗者等によって後部開口部４を開放するように操作されると、後部開口部４を開放するようにドアパネル５を回動させる旨の開信号を出力する。一方、操作スイッチ９は、搭乗者等によって後部開口部４を閉鎖するように操作されると、後部開口部４を閉鎖するようにドアパネル５を回動させる旨の閉信号を出力する。この操作スイッチ９は、車室内の所定箇所（ダッシュボード等）、ドアパネル５のドアレバー（図示略）、イグニッションキーと共に携行される携行品（図示略）等に設けられている。
【００２９】
また、電動バックドア装置２は、ドアパネル５の周縁部と、後部開口部４におけるドアパネル５の周縁部と対向する周縁部との間に存在する異物を検知するための異物検知装置１１を備えている。異物検知装置１１は、ブラケット１２を介してドアパネル５の周縁部に取り付けられた異物検知センサ１３と、該異物検知センサ１３に電気的に接続された通電検知部１４とを備えている。
【００３０】
図１に示すように、ブラケット１２は、ドアパネル５における後部開口部４の周縁部と対向する周縁部に固定されており、詳しくは、ドアパネル５の内側面（即ちドアパネル５の車室側の側面）における左右方向の両端部にそれぞれ固定されている。各ブラケット１２は、ドアパネル５の左右方向の両端部に沿って同ドアパネル５の上下に延びる略帯状をなしている。
【００３１】
前記異物検知センサ１３は長尺な紐状をなしている。異物検知センサ１３は、長尺な紐状をなすセンサ部２１を備えている。図３に示すように、センサ部２１を構成する長尺状の中空絶縁体２２は、弾性変形可能な絶縁体（軟質の樹脂材料やエラストマ等）により形成されている。図３に示すように、中空絶縁体２２の外周面には、該中空絶縁体２２の長手方向に沿って延びる帯状の貼着面２２ａが形成されている。貼着面２２ａは、中空絶縁体２２の長手方向と直交する断面（図３において中空絶縁体２２の長手方向の端面２２ｆと同じ形状）において直線状をなしている。また、中空絶縁体２２の外周面において貼着面２２ａを除く部分は、中空絶縁体２２の長手方向と直交する断面において貼着面２２ａ側に開口する略Ｕ字状をなしている。従って、中空絶縁体２２は、長手方向と直交する断面の形状が略Ｄ形状をなしている。
【００３２】
また、中空絶縁体２２の内側には、該中空絶縁体２２の長手方向に沿って延びる中空孔２２ｂが形成されている。この中空孔２２ｂは、中空絶縁体２２の長手方向と直交する断面において周方向に４箇所に外周側に向かって凹設された離間凹部２２ｃを中空絶縁体２２の断面における略中央部で連結した形状をなすことにより、中空絶縁体２２の長手方向と直交する方向の断面形状が略Ｘ字状をなしている。そして、中空孔２２ｂは、４つの離間凹部２２ｃがそれぞれ螺旋状となるように中空絶縁体２２の長手方向に沿って延びている。この中空孔２２ｂを有することにより中空絶縁体２２は中空状をなしている。
【００３３】
また、中空絶縁体２２の内側には、該中空絶縁体２２にて保持される２本の電極線２３，２４が互いに離間して対向配置されている。各電極線２３，２４は、導電性細線を撚り合わせて形成され可撓性を有する中心電極２５と、導電性及び弾性を有し中心電極２５の外周を被覆する円筒状の導電被覆層２６とから構成されている。そして、２つの電極線２３，２４は、中空絶縁体２２の内側で、周方向に並ぶ４つの前記離間凹部２２ｃの間であって、電極線２３と電極線２４との間に離間凹部２２ｃが２つずつ介在される位置に配置されている。更に、２本の電極線２３，２４は、中空絶縁体２２の内側に周方向に等角度間隔（本実施形態では１８０°間隔）に配置されるとともに、互いの間隔（周方向の間隔）を一定に維持したまま、螺旋状に延びる離間凹部２２ｃに沿って中空絶縁体２２の長手方向に螺旋状に延びている。また、電極線２３，２４は、その一部が中空絶縁体２２の内側で同中空絶縁体２２に埋設されることにより、同中空絶縁体２２によって保持されている。そして、２本の電極線２３，２４は、中空絶縁体２２の長手方向の何れの位置においても中空孔２２ｂを介して中空絶縁体２２の長手方向と直交する方向に対向している。
【００３４】
ここで、図２に示すように、中空絶縁体２２の長手方向の一端部（図２において左側の端部）を第１端部２２ｄとし、他端部（図２において右側の端部）を第２端部２２ｅとする。中空絶縁体２２の第１端部２２ｄから、２本の電極線２３，２４の中心電極２５がそれぞれ引き出されるとともに、これらの２本の中心電極２５間に抵抗器２８が電気的に接続されている。即ち、２本の電極線２３，２４は、中空絶縁体２２の第１端部２２ｄ側で抵抗器２８を介して電気的に接続されている。
【００３５】
また、図１に示すように、中空絶縁体２２の第２端部２２ｅには端末部３１が設けられている。図５（ａ）及び図５（ｂ）に示すように、端末部３１は、中空絶縁体２２の第２端部２２ｅと隣り合うように配置される支持部材３２と、該支持部材３２にて支持される２つのターミナル３３と、該支持部材３２を埋設して内部に封止した封止部材３４とを備えている。
【００３６】
支持部材３２は、絶縁性の樹脂材料から形成されている。そして、支持部材３２は、ターミナル支持部４１と、該ターミナル支持部４１に一体的に形成されたスペーサ４２とを備えている。
【００３７】
ターミナル支持部４１は短手方向及び長手方向を有する長方形の板状をなしている。ターミナル支持部４１の厚さは、中空絶縁体２２の太さよりも薄く形成されており、本実施形態では、２本の電極線２３，２４の中心電極２５間の間隔Ｄ１と略等しく形成されている。また、ターミナル支持部４１の長手方向の長さは、中空絶縁体２２の太さよりも長く形成されるとともに、同ターミナル支持部４１の短手方向の長さは、中空絶縁体２２の太さと略等しく形成されている。
【００３８】
ターミナル支持部４１は、その厚さ方向の両端面にそれぞれターミナル３３を支持している。各ターミナル３３は、導電性を有する金属板材から形成されている。そして、各ターミナル３３は、短手方向及び長手方向を有する長方形の板状をなすターミナル本体５１と、該ターミナル本体５１と一体に形成された第１接続片５２及び第２接続片５３とを備えている。
【００３９】
各ターミナル本体５１の長手方向の長さは、ターミナル支持部４１の長手方向の長さと略等しく形成されるとともに、各ターミナル本体５１の短手方向の長さは、ターミナル支持部４１の短手方向の長さと略等しく形成されている。また、２つのターミナル本体５１は、それぞれその長手方向、短手方向及び厚さ方向が、ターミナル支持部４１の長手方向、短手方向及び厚さ方向と一致するように、同ターミナル支持部４１の厚さ方向の両端面に配置されている。また、２つのターミナル本体５１は、ターミナル支持部４１の厚さ方向から見て（即ち図５（ｂ）に示す状態）、該ターミナル支持部４１の外形の範囲内に収まるように同ターミナル支持部４１の両端面に配置されている。そして、ターミナル支持部４１は、２つのターミナル３３を互いに絶縁し当該２つのターミナル３３同士がその厚さ方向に重なる二重構造をなすように支持している。
【００４０】
また、各ターミナル３３において、第１接続片５２はターミナル本体５１の長手方向の一端部（図５（ｂ）において上端部）から延設される一方、第２接続片５３はターミナル本体５１の長手方向の他端部（図５（ｂ）において下端部）から延設されている。これらの第１接続片５２及び第２接続片５３は、四角形の板状をなしている。
【００４１】
前記ターミナル支持部４１の長手方向の一端部には、同ターミナル支持部４１の短手方向の一方側に突出した案内部４３が一体に形成されている。図３及び図５（ｂ）に示すように、案内部４３におけるターミナル支持部４１の長手方向に沿った方向の長さは、中空絶縁体２２の第２端部２２ｅ側の端面２２ｆにおける中空孔２２ｂの開口部の長手方向の長さ（図３において上下方向の長さ）と略等しい長さに形成されている。また、案内部４３におけるターミナル支持部４１の厚さ方向の長さは、ターミナル本体５１を含むターミナル支持部４１の厚さと略等しく形成されている。
【００４２】
また、案内部４３の先端部に前記スペーサ４２が一体に形成されている。スペーサ４２は、ターミナル支持部４１の短手方向に沿って案内部４３の先端中央から突出するとともに、柱状をなしている。スペーサ４２は、ターミナル支持部４１の厚さよりも細い円柱状をなすとともに、その直径は、中空絶縁体２２の内側で互いに対向する電極線２３，２４間の隙間の幅と略等しく形成されている。そして、支持部材３２は、中空絶縁体２２の第２端部２２ｅ側から中空孔２２ｂにスペーサ４２の先端側の部分が挿入された状態で中空絶縁体２２に対して組み付けられている。本実施形態では、スペーサ４２は、案内部４３の先端面が中空絶縁体２２の第２端部２２ｅに当接するまで中空孔２２ｂ内に挿入されている。第２端部２２ｅ側から中空孔２２ｂ（中空絶縁体２２の内部）に挿入されたスペーサ４２は、第２端部２２ｅで２本の電極線２３，２４間に介在されて当該電極線２３，２４同士の接触を防止している。
【００４３】
また、スペーサ４２を中空孔２２ｂに挿入することにより中空絶縁体２２に取り付けられた支持部材３２において、図５（ａ）及び図５（ｂ）に示すように、ターミナル支持部４１は、その厚さ方向が貼着面２２ａの幅方向と平行をなすようにセンサ部２１に対して配置されている。更に、図４に示すように、ターミナル支持部４１は、貼着面２２ａの幅方向の中央部とセンサ部２１の長手方向（図４において紙面垂直方向）に対向する。また、図５（ｂ）に示すように、ターミナル支持部４１における案内部４３が設けられた側と反対側の長手方向の端部（即ち第２接続片５３が配置された側の長手方向の端部）は、貼着面２２ａを越えて中空絶縁体２２の外周側に突出している。そして、ターミナル支持部４１は、センサ部２１の長手方向と直交する一方向（本実施形態では貼着面２２ａと直交する方向）に長手となるとともに、貼着面２２ａの背面側（図５（ｂ）において貼着面２２ａの上側）よりも同貼着面２２ａの正面側（図５（ｂ）において貼着面２２ａの下側）に長くなっている。従って、ターミナル支持部４１に支持された２つのターミナル３３は、その短手方向がセンサ部２１の長手方向と一致するように、且つその長手方向がセンサ部２１の長手方向と直交するように中空絶縁体２２の第２端部２２ｅと隣り合って配置されている。また、各ターミナル３３は、センサ部２１の長手方向と直交する一方向（本実施形態では貼着面２２ａと直交する方向）に長手となるとともに、貼着面２２ａの背面側よりも同貼着面２２ａの正面側に長くなっている。
【００４４】
図３に示すように、中空絶縁体２２の第２端部２２ｅから電極線２３，２４の中心電極２５がそれぞれ引き出されている。本実施形態では、中空絶縁体２２の第２端部２２ｅ側の端面２２ｆは、螺旋状に延びる２本の電極線２３，２４が前記貼着面２２ａの幅方向と平行な方向に離間する位置に形成されている。また、端面２２ｆは、貼着面２２ａと直角をなしている。従って、端面２２ｆにおいて、電極線２３，２４の中心を通る直線Ｌ１は、貼着面２２ａの幅方向と平行をなしている。
【００４５】
そして、図４に示すように、前記ターミナル支持部４１は、中空絶縁体２２の第２端部２２ｅにおける貼着面２２ａの幅方向の中央部とセンサ部２１の長手方向に対向しているため、中空絶縁体２２の第２端部２２ｅから引き出された２本の電極線２３，２４の中心電極２５はターミナル支持部４１の厚さ方向の両側に引き出される。即ち、２本の中心電極２５間にターミナル支持部４１が配置されることになる。そして、ターミナル支持部４１の厚さ方向の両側で、それぞれ対向するターミナル本体５１と中心電極２５とが電気的に接続されている。詳しくは、２本の中心電極２５は、案内部４３におけるターミナル支持部４１の厚さ方向の両側を通ってそれぞれターミナル本体５１上に配置されている。そして、各ターミナル３３の第１接続片５２が、ターミナル本体５１に重なるように折り返されて同ターミナル本体５１上に配置された中心電極２５を同ターミナル本体５１との間に挟み込んでいる。ターミナル本体５１と第１接続片５２とによって挟持された中心電極２５は、半田付けによりターミナル３３に電気的に接続されている。尚、図５（ｂ）においては、中心電極２５をターミナル３３に電気的に接続する半田６１を二点鎖線にて図示している。このように、電極線２３，２４の中心電極２５は、２つのターミナル本体５１の長手方向の一端側にそれぞれ電気的に接続されている。即ち、各ターミナル３３と各電極線２３，２４の中心電極２５との接続部分である電極接続部Ｐ１は、センサ部２１の長手方向の端部（第２端部２２ｅ）と同センサ部２１の長手方向に隣り合う各ターミナル３３の長手方向（センサ部２１の長手方向と直交する方向と同方向）の一端側に形成されている。
【００４６】
また、図４及び図５（ｂ）各ターミナル３３には、それぞれリード線７１，７２が電気的に接続されている。各リード線７１，７２は、導電性を有する金属線７３を絶縁性の絶縁被膜７４にて被覆してなる被覆導線である。各リード線７１，７２の先端部は、絶縁被膜７４が除去されて金属線７３が露出している。２本のリード線７１，７２は、それぞれが接続されるターミナル３３において、前記電極接続部Ｐ１からセンサ部２１の長手方向と直交する方向にずれた位置に接続されている。
【００４７】
リード線７１，７２と各ターミナル３３との電気的な接続について詳述する。２本のリード線７１，７２は、中空絶縁体２２の第２端部２２ｅ付近では、中空絶縁体２２の貼着面２２ａ側でセンサ部２１の長手方向と直交する方向に同センサ部２１と隣り合い、センサ部２１と平行をなすように配置されている。即ち、センサ部２１における端末部３１側の長手方向の端部付近では、各リード線７１，７２は、各リード線７１，７２の長手方向（図５（ｂ）において矢印Ａ参照）と、センサ部２１の長手方向（図５（ｂ）において矢印Ｂ参照）に対して０°の角度をなすようにターミナル３３に対して配置されている。従って、センサ部２１における端末部３１側の長手方向の端部付近では、各リード線７１，７２の長手方向と、センサ部２１の長手方向とは平行をなしている。そして、２本のリード線７１，７２の先端部（金属線７３が露出した部分）は、ターミナル支持部４１の厚さ方向の両側に配置され、それぞれターミナル支持部４１の厚さ方向の両端部に配置されたターミナル３３と同ターミナル支持部４１の厚さ方向に隣り合っている。また、各リード線７１，７２の先端部は、各ターミナル本体５１上でセンサ部２１の長手方向に沿って直線的に延びている。更に、各リード線７１，７２の先端部は、センサ部２１の長手方向と直交する方向（図５（ｂ）において矢印Ｃ参照）であってターミナル本体５１の長手方向に前記電極接続部Ｐ１からずれた位置でそれぞれターミナル３３のターミナル本体５１と同ターミナル支持部４１の厚さ方向に対向している。従って、各リード線７１，７２の先端部は、各ターミナル３３のターミナル本体５１における第２接続片５３が設けられた側の長手方向の端部側で、ターミナル本体５１と同ターミナル支持部４１の厚さ方向にそれぞれ対向している。そして、各ターミナル３３の第２接続片５３が、ターミナル本体５１に重なるように折り返されて同ターミナル本体５１上に配置されたリード線７１，７２の先端部を同ターミナル本体５１との間に挟み込んでいる。ターミナル本体５１と第２接続片５３とによって挟持されたリード線７１，７２の先端部は、半田付けによりターミナル３３に電気的に接続されている。尚、図５（ｂ）においては、リード線７１，７２をターミナル３３に電気的に接続する半田６２を二点鎖線にて図示している。このように、２本のリード線７１，７２は、電極接続部Ｐ１からセンサ部２１の長手方向と直交する方向であってターミナル本体５１の長手方向にずれた位置で、２つのターミナル３３のターミナル本体５１における第２接続片５３側の長手方向の端部側に電気的に接続されている。即ち、各ターミナル３３と各リード線７１，７２との接続部分であるリード線接続部Ｐ２は、各ターミナル３３において電極接続部Ｐ１からセンサ部２１の長手方向と直交する方向に沿って中空絶縁体２２の外周側へずれた位置に形成されている。また、図４に示すように、ターミナル支持部４１の厚さ方向の一方側に位置するリード線接続部Ｐ２と同ターミナル支持部４１の厚さ方向の他方側に位置するリード線接続部Ｐ２とは、センサ部２１の長手方向と直交する方向であってターミナル支持部４１の長手方向にずれている。尚、ターミナル支持���４１の厚さ方向は、本実施形態では、前記貼着面２２ａの幅方向に同じである。
【００４８】
前記封止部材３４は、絶縁性の樹脂材料にて形成されている。図５（ａ）及び図５（ｂ）に示すように、封止部材３４は、支持部材３２における中空絶縁体２２の外部に配置された部分、ターミナル３３、電極接続部Ｐ１、リード線接続部Ｐ２及び中空絶縁体２２の第２端部２２ｅを内部に埋設して封止している。封止部材３４は、中空絶縁体２２の第２端部２２ｅとセンサ部２１の長手方向に隣り合う端末被覆部８１と、該端末被覆部８１と一体に形成された取付脚８２とを備えている。
【００４９】
端末被覆部８１は、中空絶縁体２２の第２端部２２ｅを埋設しつつ、中空絶縁体２２の第２端部２２ｅ側の端面２２ｆに一体に形成されている。端末被覆部８１は、ターミナル支持部４１においてセンサ部２１の長手方向に中空絶縁体２２の第２端部２２ｅと隣り合う部分、２つのターミナル３３においてセンサ部２１の長手方向に中空絶縁体２２の第２端部２２ｅと隣り合う部分（各ターミナル３３における電極線２３，２４が接続された側の長手方向の約半分の部分）、案内部４３及び電極接続部Ｐ１を内部に埋設して封止している。また、図４に示すように、端末被覆部８１の外形形状は、中空絶縁体２２の外形形状を一回り大きくした形状に形成されており、端末被覆部８１におけるセンサ部２１の長手方向と直交する断面の形状は、略Ｄ形状をなしている。そして、図５（ａ）及び図５（ｂ）に示すように、端末被覆部８１における中空絶縁体２２の第２端部２２ｅ側の端部は、同第２端部２２ｅに液密且つ気密に密着している。
【００５０】
取付脚８２は、端末被覆部８１におけるリード線７１，７２側の端部及び中空絶縁体２２の第２端部２２ｅにおける貼着面２２ａに一体に形成されている。この取付脚８２は、中空絶縁体２２の外周面よりも外側に突出するとともに、本実施形態では略直方体状をなしている。そして、取付脚８２は、貼着面２２ａよりも若干広い幅を有するとともに、センサ部２１の長手方向の長さは、端末被覆部８１におけるセンサ部２１の長手方向の長さと略等しく形成されている。この取付脚８２は、ターミナル支持部４１において中空絶縁体２２の外周面よりも外側に突出した部分、２つのターミナル３３において中空絶縁体２２の外周面よりも外側に突出した部分（各ターミナル３３におけるリード線７１，７２が接続された側の長手方向の約半分の部分）、及びリード線接続部Ｐ２を内部に埋設して封止している。更に、取付脚８２は、リード線７１，７２の先端部付近（金属線７３が露出した部分及び絶縁被膜７４の先端部）を内部に埋設して封止している。従って、封止部材３４は、センサ部２１の長手方向と直交する一方向（本実施形態では貼着面２２ａと直交する方向）に長手となるとともに、貼着面２２ａの背面側よりも同貼着面２２ａの正面側に長くなっている。
【００５１】
そして、２本のリード線７１，７２は、取付脚８２におけるセンサ部２１の長手方向の両端面のうちセンサ部２１に近い側の端面８２ａからセンサ部２１と平行をなすように同取付脚８２の外部に引き出されている。従って、封止部材３４において、該封止部材３４からリード線７１，７２が引き出される引出位置Ｐ３は、端面８２ａ上に位置する。そして、封止部材３４の内部において、前記リード線接続部Ｐ２は、前記電極接続部Ｐ１に対し、引出位置Ｐ３に近づくように各ターミナル３３上でセンサ部２１の長手方向と直交する方向（図５（ｂ）において矢印Ｃ参照）にずれている。また、封止部材３４の内部において、各リード線７１，７２は、リード線接続部Ｐ２から引出位置Ｐ３まで直線的に延びている。
【００５２】
図４に示すように、取付脚８２には、一対の取付凹部８３が形成されている。一対の取付凹部８３は、取付脚８２における幅方向（貼着面２２ａの幅方向と同方向）の両側、即ち取付脚８２におけるターミナル支持部４１の厚さ方向の両側に形成されている。また、一対の取付凹部８３は、センサ部２１の長手方向に沿って延びる溝状をなすとともに、取付脚８２をセンサ部２１の長手方向に貫通している。この一対の取付凹部８３は、ターミナル支持部４１の長手方向（図４において上下方向）には、電極接続部Ｐ１とリード線接続部Ｐ２との間となる位置に形成されている。更に、一対の取付凹部８３は、ターミナル支持部４１の長手方向には、各ターミナル３３における第１接続片５２と第２接続片５３との間となる位置に形成されている。そして、取付脚８２においては、一対の取付凹部８３が形成された部分の幅（貼着面２２ａの幅方向と同方向の幅）が狭くなっている。しかし、一対の取付凹部８３の底面８３ａ間、即ち取付脚８２において一対の取付凹部８３によって幅が狭くなった部分には、ターミナル支持部４１及びターミナル本体５１が埋設されている。即ち、２つのターミナル３３の一部が、取付脚８２の内部で各取付凹部８３の背面に埋設されている。
【００５３】
このような封止部材３４は、ターミナル支持部４１、２つのターミナル３３、電極接続部Ｐ１、及びリード線接続部Ｐ２を液密且つ気密に封止している。そして、取付脚８２は、ブラケット１２の長手方向の端部に形成された係合溝１２ａに、同取付脚８２における一対の取付凹部８３間の部分（即ち一対の取付凹部８３の底面８３ａ間の部分）が挿入されることによりブラケット１２に係合される。そして、ブラケット１２における係合溝１２ａの両側の部分がそれぞれ一対の取付凹部８３内に挿入される。従って、異物検知センサ１３における封止部材３４側の長手方向の端部は、取付脚８２によってブラケット１２に固定されている。更に、図５（ｂ）に示すように、中空絶縁体２２の貼着面２２ａが両面テープ１５にてブラケット１２に貼着されることにより、異物検知センサ１３はブラケット１２に対して固定されている。そして、封止部材３４の取付脚８２から延びる２本のリード線７１，７２は、第１端部２２ｄの方（図５（ｂ）において右側）に向かってセンサ部２１と平行に延びた後に、ドアパネル５の内部に引き込まれている。図２に示すように、ドアパネル５の内部に引き込まれた２本のリード線７１，７２のうち一方のリード線７１は、同ドアパネル５の内部で通電検知部１４に電気的に接続されている。更に、同２本のリード線７１，７２のうち他方のリード線７２は、ドアパネル５の内部でグランドＧＮＤに接続（即ち車体３に接地）されている。
【００５４】
図１及び図２に示すように、前記通電検知部１４はドアパネル５の内部に配置されている。この通電検知部１４は、電極線２３に電流を供給している。そして、センサ部２１に押圧力等の外力が加えられていない通常の状態では、通電検知部１４から電極線２３に供給される電流は、抵抗器２８を介して電極線２４に流れる。一方、センサ部２１を潰すような外力が加えられると、外力が加えられた部位の中空絶縁体２２が弾性変形するとともに該中空絶縁体２２の弾性変形に伴って電極線２３，２４が撓曲し、電極線２３と電極線２４とが接触して短絡される。すると、通電検知部１４から電極線２３に供給される電流は、抵抗器２８を介さずに電極線２４に流れることになる。従って、例えば、一定の電圧で電極線２３に電流を供給している場合には、電流値が変化するため、通電検知部１４は、このときの電流値の変化を検知することにより、センサ部２１に接触した異物を検知する。そして、通電検知部１４は、この電流値の変化を検知すると、即ち異物検知センサ１３に接触した異物を検知すると、後述のドアＥＣＵ９１に異物検知信号を出力する。尚、センサ部２１に対する外力が取り除かれると、中空絶縁体２２が復元し、電極線２３，２４も復元して非導通状態となる。
【００５５】
また、電動バックドア装置２は、ドアパネル５の内部に前記アクチュエータ６によるドアパネル５の開閉作動を制御するドアＥＣＵ９１を備えている。ドアＥＣＵ９１は、ＲＯＭ（Read only Memory）、ＲＡＭ（Random access Memory）等を備えマイクロコンピュータとしての機能を有するとともに、車両１のバッテリ（図示略）から電源の供給を受けている。また、ドアＥＣＵ９１は、該ドアＥＣＵ９１に電気的に接続された通電検知部１４に電流を供給している。そして、ドアＥＣＵ９１は、操作スイッチ９、位置検出装置８及び通電検知部１４等から入力される各種信号に基づいてアクチュエータ６を制御する。
【００５６】
次に、上記のように構成された電動バックドア装置２の動作を統括的に説明する。
ドアＥＣＵ９１は、操作スイッチ９から開信号が入力されると、ドアパネル５を開作動させるべくアクチュエータ６を駆動する。尚、ドアＥＣＵ９１は、位置検出装置８から入力される位置検出信号に基づいてドアパネル５の回動位置を認識している。本実施形態では、ドアＥＣＵ９１は、位置検出信号のパルス数をカウントし、そのカウント値に基づいてドアパネル５の回動位置を認識している。そして、ドアパネル５が全閉位置に配置されると、ドアＥＣＵ９１はアクチュエータ６を停止する。
【００５７】
一方、操作スイッチ９から閉信号が入力されると、ドアＥＣＵ９１は、ドアパネル５を閉作動させるべくアクチュエータ６を駆動する。そして、ドアパネル５が全閉位置に配置されると、ドアＥＣＵ９１はアクチュエータ６を停止する。尚、ドアパネル５の閉作動中に、異物検知センサ１３のセンサ部２１に異物が接触して同センサ部２１に外力が加えられると、異物検知センサ１３において中空絶縁体２２が弾性変形されることにより電極線２３と電極線２４とが接触して短絡される。その結果、電極線２３に供給する電流の電流値が変化するため、通電検知部１４がドアＥＣＵ９１に異物検知信号を出力する。ドアＥＣＵ９１は、異物検知信号が入力されると、アクチュエータ６を反転させてドアパネル５を所定量だけ開作動させた後にアクチュエータ６を停止する。
【００５８】
次に、本実施形態の異物検知センサ１３の作用を説明する。
図５（ｂ）に示すように、２本のリード線７１，７２は、センサ部２１における第２端部２２ｅ側の長手方向の端部付近では、中空絶縁体２２の貼着面２２ａ側でセンサ部２１の長手方向と直交する方向に同センサ部２１と隣り合い、センサ部２１と平行をなすように配置されている。即ち、センサ部２１における端末部３１側の長手方向の端部付近では、各リード線７１，７２は、各リード線７１，７２の長手方向がセンサ部２１の長手方向に対して０°の角度をなすようにターミナル３３に対して配置されている。従って、ブラケット１２を介してドアパネル５に固定される異物検知センサ１３において、リード線７１，７２をセンサ部２１における第１端部２２ｄ側の長手方向の端部の方（図５（ｂ）において右側の方）に向かって延びるように整形しても、同リード線７１，７２は、センサ部２１における第２端部２２ｅ側の長手方向の端部付近では、センサ部２１の長手方向に封止部材３４よりも突出しない。
【００５９】
また、リード線接続部Ｐ２は、電極接続部Ｐ１に対し、封止部材３４からリード線７１，７２が引き出される引出位置Ｐ３に近づくように各ターミナル３３上でセンサ部２１の長手方向と直交する方向にずれている。そのため、各ターミナル３３に接続されるリード線７１，７２の先端が引出位置Ｐ３に近づく。
【００６０】
上記したように、本実施形態によれば、以下の効果を有する。
（１）リード線７１，７２は、同リード線７１，７２の長手方向がセンサ部２１の長手方向と０°の角度をなすように２つのターミナル３３に対してそれぞれ配置されている。従って、リード線７１，７２をセンサ部２１における同リード線７１，７２が接続された側の端部（即ち第２端部２２ｅ側の端部）とは反対側の端部（即ち第１端部２２ｄ側の端部）の方に向かって延びるように整形した場合、同リード線７１，７２がセンサ部２１の長手方向に封止部材３４よりも突出することが抑制される。よって、リード線７１，７２がセンサ部２１の長手方向に封止部材３４よりも突出しない分だけ、センサ部２１をその長手方向に長くすることができる。その結果、異物検知センサ１３において、センサ部２１の長手方向に異物の検知範囲を広くすることができる。また、リード線接続部Ｐ２は、電極接続部Ｐ１に対し、封止部材３４からリード線７１，７２が引き出される引出位置Ｐ３に近づくように各ターミナル３３上でセンサ部２１の長手方向と直交する方向にずれている。そのため、各ターミナル３３に接続されるリード線７１，７２の先端が引出位置Ｐ３に近づく。従って、使用するリード線７１，７２の長さを短くすることができる。その結果、製造コストを低減できる。
【００６１】
（２）支持部材３２は、２つのターミナル３３を互いに絶縁し二重構造をなすように支持している。従って、２つのターミナル３３を重ねることなく並設する場合に比べて、封止部材３４をセンサ部２１の長手方向に小型化することができる。そして、封止部材３４を長手方向に短くした分だけ、センサ部２１をその長手方向に長くすることができる。その結果、異物検知センサ１３において、センサ部２１の長手方向に異物の検知範囲をより広くすることができる。
【００６２】
（３）リード線７１，７２は、リード線接続部Ｐ２から引出位置Ｐ３まで直線的に延びるとともに、センサ部２１の長手方向と直交する方向に同センサ部２１と隣り合い且つ同センサ部２１と平行をなすように封止部材３４から引き出されている。よって、封止部材３４から引き出されたリード線７１，７２は、センサ部２１における同リード線７１，７２が接続された側の長手方向の端部付近では、センサ部２１における同リード線７１，７２が接続された側の端部（即ち第２端部２２ｅ側の端部）と反対側の端部（即ち第１端部２２ｄ側の端部）の方に向かって延びることになる。従って、リード線７１，７２を湾曲させなくとも、リード線７１，７２をセンサ部２１における同リード線７１，７２が接続された側の端部と反対側の端部の方に向かって延びるように配置することができる。また、センサ部２１の長手方向と直交する方向において、リード線７１，７２を配置するスペースを狭くすることができる。
【００６３】
（４）各ターミナル３３は、該ターミナル３３の短手方向がセンサ部２１の長手方向と一致するように配置されるため、ターミナル３３及び該ターミナル３３を内部に封止する封止部材３４をセンサ部２１の長手方向に小型化することができる。そして、封止部材３４を長手方向に小型化した分だけ、センサ部２１をその長手方向により長くすることができる。その結果、異物検知センサ１３において、センサ部２１の長手方向に異物の検知範囲を更に広くすることができる。
【００６４】
（５）ターミナル３３の一部が取付脚８２の内部に埋設されているため、中空絶縁体２２の外周面よりも外側に突出した取付脚８２を同ターミナル３３によって補強することができる。
【００６５】
（６）２つのターミナル３３は、支持部材３２によって互いに絶縁されつつ支持されている。従って、支持部材３２によってターミナル３３を補強することができる。また、支持部材３２によってターミナル３３を支持することにより、ターミナル３３同士を離間させた状態に容易に維持することができるため、２つのターミナル３３同士の電気的な絶縁を確保しやすい。また、支持部材３２をセンサ部２１に対して配置することにより２つのターミナル３３をセンサ部２１に対して配置できるため、２つのターミナル３３のセンサ部２１に対する位置決めを容易に行うことができる。
【００６６】
（７）取付脚８２において取付凹部８３が形成されることによりその幅が狭くなった部分には、ターミナル３３の一部が埋設されている。従って、取付脚８２において取付凹部８３が形成された部分付近を、ターミナル３３によって補強することができる。
【００６７】
（８）センサ部２１の長手方向と直交する一方向に長手となる封止部材３４は、中空絶縁体２２の外周面に設けられた貼着面２２ａの背面側よりも正面側に長い。そのため、ブラケット１２に貼着面２２ａが貼着された状態において、封止部材３４が中空絶縁体２２の外周面よりも貼着面２２ａの背面側に大きく突出することを抑制することができる。従って、取付け場所（本実施形態ではドアパネル５の周縁部）に取り付けられた異物検知センサ１３の見映えを向上させることができる。
【００６８】
（９）電極線２３，２４は、中空絶縁体２２の長手方向に螺旋状に延びている。従って、センサ部２１の長手方向において、中空絶縁体２２における第２端部２２ｅ側の端面２２ｆを設ける位置を調整することにより、端面２２ｆから電極線２３，２４を引き出す位置を容易に変更することができる。また、電極線２３，２４が中空絶縁体２２の長手方向に螺旋状に延びているため、例えば中空絶縁体２２の内部で同中空絶縁体２２の長手方向に沿って直線的に延びる一対の電極を備えたセンサ部に比べて、センサ部２１の周方向の検知感範囲が広くなる。更に、センサ部２１をどの方向に湾曲させても湾曲した部分において電極線２３，２４同士が接触し難いため、異物検知センサ１３を配置する場所の自由度が増す。
【００６９】
（１０）リード線７１，７２は、中空絶縁体２２の外周側に突出した取付脚８２から引き出されている。従って、センサ部２１における端末部３１側の端部付近において、リード線７１，７２を湾曲させなくともセンサ部２１と平行をなすように容易にリード線７１，７２を配置することができる。
【００７０】
（１１）封止部材３４の内部においてリード線７１，７２が湾曲されない。従って、使用するリード線７１，７２の長さをより短くすることができる。更に、封止部材３４の内部においてリード線７１，７２が湾曲される場合に比べて、封止部材３４の内部においてリード線７１，７２を配置するスペースを小さくできるため、封止部材３４を小型化することができる。
【００７１】
（１２）取付脚８２の内部に埋設された２つのリード線接続部Ｐ２は、センサ部２１の長手方向と直交する方向であってターミナル支持部４１の長手方向にずれている。即ち、２つのリード線接続部Ｐ２は、取付脚８２における幅方向（貼着面２２ａの幅方向と同方向）と直交する方向にずれている。従って、例えば２つのリード線接続部Ｐ２がセンサ部２１の長手方向と直交する方向にずれない場合に比べて、取付脚８２の幅を部分的に狭くすることができる。
【００７２】
尚、本発明の実施形態は、以下のように変更してもよい。
・上記実施形態では、異物検知センサ１３は、ブラケット１２を介してドアパネル５の周縁部（取付け場所）に貼着されている。しかしながら、異物検知センサ１３は、ブラケット１２を介さず直接ドアパネル５の周縁部に貼着されてもよい。また、異物検知センサ１３は、両面テープ１５による貼着以外に、接着等、別の方法でブラケット１２若しくはドアパネル５の周縁部に取り付けられてもよい。
【００７３】
・上記実施形態では、封止部材３４は、センサ部２１の長手方向と直交する一方向に長手となるとともに、貼着面２２ａの背面側よりも同貼着面２２ａの正面側に長くなっている。しかしながら、封止部材３４は、必ずしもセンサ部２１の長手方向と直交する一方向に長手とならなくてもよい。また、封止部材３４は、必ずしも貼着面２２ａの背面側よりも貼着面２２ａの正面側に長くなくてもよい。
【００７４】
・上記実施形態では、２つのターミナル３３の一部が、取付脚８２の内部で２つの取付凹部８３の背面に埋設されている。しかしながら、２つのターミナル３３は、必ずしも取付脚８２の内部で２つの取付凹部８３の背面に埋設されなくてもよい。
【００７５】
・上記実施形態では、取付脚８２は、一対の取付凹部８３を有する。しかしながら、取付脚８２は、取付凹部８３を１つのみ備えた構成であってもよい。また、取付脚８２は、必ずしも取付凹部８３を備えなくてもよい。
【００７６】
・上記実施形態では、２つのターミナル３３の一部が取付脚８２の内部に埋設されている。しかしながら、２つのターミナル３３は、必ずしも取付脚８２に埋設されなくてもよい。
【００７７】
・封止部材３４は、封止部材３４をブラケット１２係合するための取付脚８２を必ずしも備えなくてもよい。
・上記実施形態では、２つのターミナル３３は、その短手方向がセンサ部２１の長手方向と一致するように、且つその長手方向がセンサ部２１の長手方向と直交するように中空絶縁体２２の第２端部２２ｅと隣り合って配置されている。しかしながら、２つのターミナル３３は、その短手方向がセンサ部２１の長手方向と直交するように、且つその長手方向がセンサ部２１の長手方向と一致するように、中空絶縁体２２の第２端部２２ｅと隣り合って配置されてもよい。
【００７８】
・上記実施形態では、各ターミナル３３は、ターミナル本体５１が短手方向及び長手方向を有する長方形状の板状をなすことにより、短手方向及び長手方向を有する板状をなしている。しかしながら、各ターミナル３３の形状はこれに限らない。例えば、図６（ａ）及び図６（ｂ）に示す異物検知センサ１０１のように、略Ｌ字状の板状をなすターミナル１０２によって、電極線２３，２４とリード線７１，７２とをそれぞれ電気的に接続してもよい。尚、図６及び図７においては、上記実施形態と同一の構成に同一の符号を付している。ターミナル１０２を支持する支持部材１０３は、ターミナル１０２と同様のＬ字状の板状をなすターミナル支持部１０４と、案内部４３と、スペーサ４２とを備えている。２つのターミナル１０２は、ターミナル支持部１０４の厚さ方向の両端面に配置されている。そして、ターミナル支持部１０４は、２つのターミナル１０２を互いに絶縁し当該２つのターミナル１０２同士がその厚さ方向に重なる二重構造をなすように支持している。支持部材１０３が中空絶縁体２２の第２端部２２ｅに取り付けられた状態において、各ターミナル１０２は、センサ部２１の長手方向に沿って第２端部２２ｅから離間する方向に延びた後、貼着面２２ａ側に直角に曲がり、中空絶縁体２２の外周面よりも外周側に突出している。そして、図７に示すように、ターミナル支持部１０４の厚さ方向の両側で、それぞれ対向するターミナル１０２と電極線２３，２４の中心電極２５とが溶接により電気的に接続されている。また、ターミナル支持部１０４の厚さ方向の両側で、それぞれ対向するターミナル１０２とリード線７１，７２とが溶接により電気的に接続されている。そして、図６（ｂ）及び図７に示すように、各ターミナル１０２とリード線７１，７２との接続部分であるリード線接続部Ｐ５は、各ターミナル１０２と電極線２３，２４との接続部分である電極接続部Ｐ４に対し、封止部材３４からリード線７１，７２が引き出される引出位置Ｐ３に近づくようにターミナル１０２上でセンサ部２１の長手方向と直交する方向（図６（ｂ）において矢印Ｃ参照）にずれている。更に、リード線接続部Ｐ５は、電極接続部Ｐ４に対し、センサ部２１の長手方向にずれており、電極接続部Ｐ４よりもセンサ部２１の長手方向の中央部から遠い位置に位置する。また、リード線７１，７２は、リード線接続部Ｐ５から引出位置Ｐ３まで直線的に延びるとともに、センサ部２１の長手方向と直交する方向に同センサ部２１と隣り合い且つ同センサ部２１と平行をなすように封止部材３４から引き出されている。このようにしても、上記実施形態の（１）〜（３），（５）〜（７），（９）〜（１２）と同様の効果を得ることができる。
【００７９】
また、ターミナルが略Ｌ字状をなす場合、図９に示すように構成してもよい。図９に示す例では、ターミナル１３１は、略Ｌ字状の板状をなすターミナル本体１３２と、該ターミナル本体１３２から延設された第１接続片５２及び第２接続片５３から構成されている。そして、ターミナル１３１は、支持部材１４１にて支持されている。支持部材１４１は、ターミナル本体１３２と同様のＬ字状の板状をなすターミナル支持部１４２と、案内部４３と、スペーサ４２とを備えている。２つのターミナル１３１は、ターミナル支持部１４２の厚さ方向の両端面に配置されている。そして、ターミナル支持部１４２は、２つのターミナル１３１を互いに絶縁し当該２つのターミナル１３１同士がその厚さ方向に重なる二重構造をなすように支持している。支持部材１４１が中空絶縁体２２の第２端部２２ｅに取り付けられた状態において、各ターミナル１３１は、センサ部２１の長手方向と直交する方向に沿って貼着面２２ａの前方側に延びた後、貼着面２２ａと平行をなすように直角に曲がっている。また、各ターミナル１３１において、第１接続片５２は、ターミナル本体１３２におけるセンサ部２１の長手方向（貼着面２２ａと直交する方向に同じ）の一端部であって第２端部２２ｅとセンサ部２１の長手方向に隣り合う一端部に設けられている。更に、各ターミナル１３１において、第２接続片５３は、ターミナル本体１３２におけるセンサ部２１の長手方向の他端部であって第１接続片５２と反対側の端部に設けられている。また、各ターミナル１３１において、第２接続片５３は、第１接続片５２に対してセンサ部２１の長手方向にずれており、第１接続片５２よりもセンサ部２１の長手方向の中央部側に位置する。そして、ターミナル支持部１４２の厚さ方向の両側で、電極線２３，２４の中心電極２５がそれぞれ第１接続片５２とターミナル本体１３２とによって挟み込まれた後に半田付によりターミナル１３１に電気的に接続されている。図９では、中心電極２５をターミナル１３１に電気的に接続する半田６１を二点鎖線にて図示している。また、ターミナル支持部１４２の厚さ方向の両側で、リード線７１，７２の金属線７３が第２接続片５３とターミナル本体１３２とによって挟み込まれた後に半田付けによりターミナル１３１に電気的に接続されている。図９では、金属線７３をターミナル１３１に電気的に接続する半田６２を二点鎖線にて図示している。そして、各ターミナル１３１とリード線７１，７２との接続部分であるリード線接続部Ｐ１２は、各ターミナル１３１と電極線２３，２４との接続部分である電極接続部Ｐ１３に対し、封止部材３４からリード線７１，７２が引き出される引出位置Ｐ３に近づくようにターミナル１３１上でセンサ部２１の長手方向と直交する方向（図９において上下方向）にずれている。更に、リード線接続部Ｐ１２は、電極接続部Ｐ１３に対し、センサ部２１の長手方向にずれており、電極接続部Ｐ１３よりもセンサ部２１の長手方向の中央部側に位置する。また、リード線７１，７２は、センサ部２１の長手方向と直交する方向に同センサ部２１と隣り合い且つ同センサ部２１と平行をなすように封止部材３４から引き出されている。このようにしても、上記実施形態の（１）〜（３），（５）〜（７），（９）〜（１２）と同様の効果を得ることができる。更に、このようにすると、図６（ａ）及び図６（ｂ）に示す例よりも、封止部材３４におけるセンサ部２１の長手方向の端部からのセンサ部２１の長手方向の突出量を抑えることができる。そして、封止部材３４におけるセンサ部２１の長手方向の端部からのセンサ部２１の長手方向の突出量を抑えられた分だけ、センサ部２１をその長手方向により長くすることができる。その結果、異物検知センサにおいて、センサ部２１の長手方向に異物の検知範囲を更に広くすることができる。
【００８０】
・上記実施形態では、リード線７１，７２は、センサ部２１の端末部３１側の長手方向の端部付近で、センサ部２１の長手方向と直交する方向に同センサ部２１と隣り合い且つ同センサ部２１と平行をなすように封止部材３４から引き出されている。しかしながら、リード線７１，７２は、センサ部２１の端末部３１側の長手方向の端部付近で、リード線７１，７２の長手方向とセンサ部２１の長手方向とが直角以下の角度（即ち０°〜９０°）をなすようにターミナル３３に対して配置されていればよい。
【００８１】
・上記実施形態では、２つのターミナル３３は、支持部材３２によって互いに絶縁されるとともに二重構造をなすように支持されている。しかしながら、２つのターミナル３３は、重ねて配置されずにセンサ部２１の長手方向と直交する方向、若しくはセンサ部２１の長手方向に一列に並設されてもよい。例えば、図８に示す第１ターミナル１１１及び第２ターミナル１１２は、センサ部２１の長手方向（図８においては左右方向）に一列に並設されている。第１ターミナル１１１及び第２ターミナル１１２は、絶縁性の樹脂材料から形成された支持部材１１３によって支持されている。支持部材１１３は、長方形の板状をなしている。この支持部材１１３は、センサ部２１の長手方向の他端部（中空絶縁体２２の第２端部２２ｅ）と隣り合うように配置されている。そして、支持部材１１３は、センサ部２１の長手方向（中空絶縁体２２の長手方向に同じ）と直交する一方向に長手となるとともに、貼着面２２ａの背面側（図８においては貼着面２２ａの上側）よりも貼着面２２ａの正面側（図８においては貼着面２２ａの下側）に長くなっている。尚、図８に示す例では、支持部材１１３の長手方向は、貼着面２２ａと直交する方向と平行な方向となっている。そして、この支持部材１１３の厚さ方向の一端面に第１ターミナル１１１及び第２ターミナル１１２が配置されて固定されている。第１ターミナル１１１及び第２ターミナル１１２は、導電性を有する金属板材から形成されている。そして、第１ターミナル１１１は、支持部材１１３よりも小さい長方形の板状をなしており、支持部材１１３の厚さ方向の一端面の略中央部に配置されている。また、第２ターミナル１１２は、第１ターミナル１１１の長手方向の両側に配置された一対の接続部１１２ａと、これら接続部１１２ａ同士を連結する連結部１１２ｂとから構成されており、支持部材１１３の厚さ方向（図８においては紙面垂直方向）から見た形状が略コ字状をなしている。各接続部１１２ａは、四角形の板状をなすとともに、連結部１１２ｂは、細長い帯状をなしている。そして、一対の接続部１１２ａのうち一方の接続部１１２ａは貼着面２２ａの背面側に位置し、他方の接続部１１２ａは貼着面２２ａの正面側に位置している。また、連結部１１２ｂは、センサ部２１の長手方向（支持部材１１３の短手方向に同じ）において、第１ターミナル１１１よりもセンサ部２１から遠い位置に配置されている。このような第１ターミナル１１１及び第２ターミナル１１２は互いに離間した状態で支持部材１１３にて支持されている。
【００８２】
そして、第１ターミナル１１１には、中空絶縁体２２の第２端部２２ｅから引き出された電極線２４の中心電極２５と、リード線７２の先端部において露出された金属線７３とが接続されている。第２端部２２ｅから引き出された電極線２４の中心電極２５の先端部と、リード線７２の先端部において露出した金属線７３の先端部とには、それぞれアーク溶接（例えばＴＩＧ溶接）にて溶接玉１１４が形成されている。第２端部２２ｅから引き出された電極線２４の中心電極２５と、リード線７２の先端部において露出した金属線７３とは、各々の溶接玉１１４が抵抗溶接にて第１ターミナル１１１に接続されることにより、第１ターミナル１１１に電気的及び機械的に固定されている。そして、第１ターミナル１１１においてリード線７２が接続されたリード線接続部Ｐ６は、第１ターミナル１１１において電極線２４が接続された電極接続部Ｐ７からセンサ部２１の長手方向と直交する方向にずれた位置であって、貼着面２２ａの正面側となる位置に位置する。
【００８３】
また、第２ターミナル１１２には、中空絶縁体２２の第２端部２２ｅから引き出された電極線２３の中心電極２５と、リード線７１の先端部において露出された金属線７３とが接続されている。第２端部２２ｅから引き出された電極線２３の中心電極２５の先端部と、リード線７１の先端部において露出した金属線７３の先端部とには、それぞれアーク溶接（例えばＴＩＧ溶接）にて溶接玉１１４が形成されている。そして、第２端部２２ｅから引き出された電極線２３の中心電極２５は、その溶接玉１１４が抵抗溶接にて、貼着面２２ａの背面側に配置された一方の接続部１１２ａに接続されることにより、第２ターミナル１１２に電気的及び機械的に接続されている。更に、リード線７１の先端部において露出した金属線７３は、その溶接玉１１４が抵抗溶接にて、貼着面２２ａの正面側に配置された他方の接続部１１２ａに接続されることにより、第２ターミナル１１２に電気的及び機械的に固定されている。そして、第２ターミナル１１２においてリード線７１が接続されたリード線接続部Ｐ８は、第２ターミナル１１２において電極線２３が接続された電極接続部Ｐ９からセンサ部２１の長手方向と直交する方向にずれた位置であって、貼着面２２ａの正面側となる位置に位置する。
【００８４】
尚、図８に示す例では、リード線７１，７２は、その長手方向がセンサ部２１の長手方向に対して０°の角度をなすように第１ターミナル１１１及び第２ターミナル１１２に対して配置されている。即ち、リード線７１，７２は、センサ部２１と平行をなすように配置されている。また、図８では、第１ターミナル１１１、第２ターミナル１１２及び支持部材１１３を埋設する封止部材３４の図示を省略している。このようにしても、上記実施形態の（１），（３）〜（１２）と同様の効果を得ることができる。
【００８５】
また、封止部材３４によってターミナル３３を支持できる場合には、異物検知センサ１３は、必ずしも支持部材３２を備えなくてもよい。
・異物検知センサ１３に備えられるターミナル３３の数は、電極線２３，２４の数等に応じて適宜変更してもよい。例えば、異物検知センサ１３にターミナル３３を３枚以上備える場合、支持部材によって複数枚のターミナル３３を互いに絶縁し多重構造をなすように支持してもよいし、複数のターミナル３３を一列に並設してもよい。また、複数枚のターミナル３３を互いに絶縁された状態にできるのであれば、異物検知センサ１３は、必ずしもターミナル３３を支持する支持部材を備えなくてもよい。
【００８６】
・上記実施形態では、電極線２３，２４は、第１接続片５２とターミナル本体５１とによって挟み込まれた後に半田付によりターミナル３３に電気的に接続されている。また、リード線７１，７２は、第２接続片５３とターミナル本体５１とによって挟み込まれた後に半田付けによりターミナル３３に電気的に接続されている。しかしながら、電極線２３，２４は、半田付けを行うことなく、第１接続片５２とターミナル本体５１とによって挟み込まれてかしめられるだけでターミナル３３に電気的に接続されてもよい。同様に、リード線７１，７２は、半田付けを行うことなく、第２接続片５３とターミナル本体５１とによって挟み込まれてかしめられるだけでターミナル３３に電気的に接続されてもよい。また、電極線２３，２４及びリード線７１，７２は、溶接によりターミナル３３に電気的に接続されてもよい。例えば、図１０（ａ）及び図１０（ｂ）に示す例では、ターミナル１２１は、第１接続片５２及び第２接続片５３を備えず、長方形の平板状をなしている。即ち、ターミナル１２１は、短手方向及び長手方向を有する板状をなしている。そして、ターミナル支持部４１の厚さ方向の両側にそれぞれターミナル１２１が固定されるとともに、ターミナル支持部４１にて互いに絶縁されて支持された２つのターミナル１２１は、その短手方向がセンサ部２１の長手方向と一致するようにセンサ部２１の長手方向の端部（第２端部２２ｅ側の端部）と隣り合って配置されている。また、第２端部２２ｅから引き出された電極線２３，２４の中心電極２５の先端部、及びリード線７１，７２の先端部において露出した金属線７３の先端部には、それぞれアーク溶接（例えばＴＩＧ溶接）にて溶接玉１１４が形成されている。第２端部２２ｅから引き出された電極線２３，２４の中心電極２５、及びリード線７１，７２の先端部において露出した金属線７３は、各々の溶接玉１１４が抵抗溶接にてターミナル１２１に接続されることにより、ターミナル１２１に電気的及び機械的に固定されている。そして、ターミナル１２１においてリード線７１，７２が接続されたリード線接続部Ｐ１０は、ターミナル１２１において電極線２３，２４が接続された電極接続部Ｐ１１からセンサ部２１の長手方向（図１０（ｂ）において左右方向）と直交する方向にずれた位置であって、貼着面２２ａの正面側となる位置に位置する。このようにしても、上記実施形態の（１）〜（１２）と同様の効果を得ることができる。
【００８７】
・上記実施形態では、スペーサ４２は円柱状をなしている。しかしながら、スペーサ４２は、円柱状に限らず柱状をなしていればよい。例えば、スペーサ４２は、多角柱状であってもよい。
【００８８】
・封止部材３４の形状は上記実施形態のものに限らない。封止部材３４は、ターミナル３３、リード線接続部Ｐ２及び電極接続部Ｐ１を内部に封止する形状であればよい。例えば、封止部材３４は、ターミナル３３、リード線接続部Ｐ２及び電極接続部Ｐ１を内部に収容するように支持部材３２の外周に取着されるカバー状のものであってもよい。
【００８９】
・上記実施形態の異物検知センサ１３において、センサ部２１における第１端部２２ｄ側の長手方向の端部を、図１１（ａ）及び図１１（ｂ）に示すように構成してもよい。尚、図１１（ａ）及び図１１（ｂ）においては、上記実施形態と同一の構成に同一の符号を付している。中空絶縁体２２の第１端部２２ｄには素子側端末部１５１が設けられている。素子側端末部１５１は、中空絶縁体２２の第１端部２２ｄと隣り合うように配置される支持部材３２と、該支持部材３２にて支持される２つの素子接続ターミナル１５２と、抵抗素子１５３と、支持部材３２及び抵抗素子１５３を埋設して内部に封止した素子側封止部材１５４とを備えている。
【００９０】
各素子接続ターミナル１５２は、上記実施形態のターミナル３３と同じ形状をなしており、ターミナル本体５１と、第１接続片５２と、第２接続片５３とから構成されている。従って、各素子接続ターミナル１５２は、短手方向及び長手方向を有する板状をなしている。そして、２つの素子接続ターミナル１５２は、ターミナル支持部４１の両端面に配置されている。ターミナル支持部４１は、２つの素子接続ターミナル１５２を互いに絶縁し当該２つの素子接続ターミナル１５２同士がその厚さ方向に重なる二重構造をなすように支持している。スペーサ４２を第１端部２２ｄ側から中空孔２２ｂに挿入することにより中空絶縁体２２に取り付けられた支持部材３２において、ターミナル支持部４１は、その厚さ方向が貼着面２２ａの幅方向と平行をなすようにセンサ部２１に対して配置されている。更に、ターミナル支持部４１は、貼着面２２ａの幅方向の中央部とセンサ部２１の長手方向（図１１（ｂ）において矢印Ｂ参照）に隣接する。また、ターミナル支持部４１における案内部４３が設けられた側と反対側の長手方向の端部（即ち第２接続片５３が配置された側の長手方向の端部）は、貼着面２２ａを越えて中空絶縁体２２の外周側であって貼着面２２ａの正面側（図１１（ｂ）において貼着面２２ａの下側）に突出している。そして、ターミナル支持部４１は、センサ部２１の長手方向と直交する一方向（本例では貼着面２２ａと直交する方向であって図１１（ｂ）において矢印Ｃ参照）に長手となるとともに、貼着面２２ａの背面側よりも同貼着面２２ａの正面側に長くなっている。従って、ターミナル支持部４１に支持された２つの素子接続ターミナル１５２は、その短手方向がセンサ部２１の長手方向と一致するように、且つその長手方向がセンサ部２１の長手方向と直交するように中空絶縁体２２の第１端部２２ｄと隣り合って配置されている。即ち、２つの素子接続ターミナル１５２は、センサ部２１の長手方向の両端部のうち、リード線７１，７２が接続されるターミナル３３（図５（ｂ）参照）が配置された側と反対側の端部と隣り合うように配置されている。また、各素子接続ターミナル１５２は、センサ部２１の長手方向と直交する一方向（本例では貼着面２２ａと直交する方向）に長手となるとともに、貼着面２２ａの背面側よりも同貼着面２２ａの正面側に長くなっている。
【００９１】
また、中空絶縁体２２の第１端部２２ｄから電極線２３，２４の中心電極２５がそれぞれ引き出されている。中空絶縁体２２の第１端部２２ｄから引き出された２本の電極線２３，２４の中心電極２５はターミナル支持部４１の厚さ方向の両側に配置されている。そして、ターミナル支持部４１の厚さ方向の両側で、電極線２３，２４の中心電極２５がそれぞれ第１接続片５２とターミナル本体５１とによって挟み込まれた後に半田付により素子接続ターミナル１５２に電気的に接続されている。図１１（ｂ）では、中心電極２５を素子接続ターミナル１５２に電気的に接続する半田１６１を二点鎖線にて図示している。各素子接続ターミナル１５２と各電極線２３，２４の中心電極２５との接続部分である素子側電極接続部Ｐ１４は、センサ部２１の長手方向の端部（第１端部２２ｄ側の端部）と同センサ部２１の長手方向に隣り合う各素子接続ターミナル１５２の長手方向の一端側に形成されている。
【００９２】
前記抵抗素子１５３は、該抵抗素子１５３を素子接続ターミナル１５２に接続するための一対の接続脚１５３ａを有する。尚、図１１（ｂ）においては、一対の接続脚１５３ａのうち一方の接続脚１５３ａのみを図示している。この抵抗素子１５３は、素子接続ターミナル１５２の短手方向の両端のうちセンサ部２１と反対側の端（図１１（ｂ）において左側の端）よりもセンサ部２１に近い位置に配置されている。本例では、抵抗素子１５３は、接続脚１５３ａ以外の部分が素子接続ターミナル１５２よりもセンサ部２１側に位置するように配置されている。また、一対の接続脚１５３ａは、間にターミナル支持部４１が配置されるように同ターミナル支持部４１の厚さ方向の両側に配置されている。そして、ターミナル支持部４１の厚さ方向の両側で、一対の接続脚１５３ａがそれぞれ第２接続片５３とターミナル本体５１とによって挟み込まれた後に半田付により素子接続ターミナル１５２に電気的に接続されている。図１１（ｂ）では、接続脚１５３ａを素子接続ターミナル１５２に電気的に接続する半田１６２を二点鎖線にて図示している。各素子接続ターミナル１５２と抵抗素子１５３との接続部分である素子接続部Ｐ１５は、各素子接続ターミナル１５２において素子側電極接続部Ｐ１４からセンサ部２１の長手方向と直交する方向に沿って中空絶縁体２２の外周側へずれた位置に形成されている。また、素子接続部Ｐ１５は、各素子接続ターミナル１５２における素子側電極接続部Ｐ１４が設けられた側と反対側の長手方向の端部に形成されるとともに、各素子接続ターミナル１５２における貼着面２２ａの正面側となる部分に形成されている。
【００９３】
前記素子側封止部材１５４は、絶縁性の樹脂材料にて形成されている。この素子側封止部材１５４は、素子接続ターミナル１５２、抵抗素子１５３、素子接続部Ｐ１５、素子側電極接続部Ｐ１４及び中空絶縁体２２における素子接続ターミナル１５２と隣り合う第１端部２２ｄを内部に埋設して封止している。そして、素子側封止部材１５４は、中空絶縁体２２の第１端部２２ｄとセンサ部２１の長手方向に隣り合う素子側端末被覆部１７１と、該素子側端末被覆部１７１と一体に形成された素子側取付脚１７２とを備えている。
【００９４】
素子側端末被覆部１７１は、中空絶縁体２２の第１端部２２ｄを埋設しつつ、中空絶縁体２２の第１端部２２ｄ側の端面に一体に形成されている。素子側端末被覆部１７１は、ターミナル支持部４１においてセンサ部２１の長手方向に中空絶縁体２２の第１端部２２ｄと隣り合う部分、２つの素子接続ターミナル１５２においてセンサ部２１の長手方向に中空絶縁体２２の第１端部２２ｄと隣り合う部分（各素子接続ターミナル１５２における電極線２３，２４が接続された側の長手方向の約半分の部分）、案内部４３及び素子側電極接続部Ｐ１４を内部に埋設して封止している。また、素子側端末被覆部１７１の外形形状は、中空絶縁体２２の外形形状を一回り大きくした形状に形成されており、素子側端末被覆部１７１におけるセンサ部２１の長手方向と直交する断面の形状は、略Ｄ形状をなしている。そして、素子側端末被覆部１７１における中空絶縁体２２の第１端部２２ｄ側の端部は、同第１端部２２ｄに液密且つ気密に密着している。
【００９５】
素子側取付脚１７２は、素子側端末被覆部１７１における抵抗素子１５３側の端部及び中空絶縁体２２の第１端部２２ｄにおける貼着面２２ａに一体に形成されている。この素子側取付脚１７２は、中空絶縁体２２の外周面よりも外側に突出するとともに、本例では略直方体状をなしている。そして、素子側取付脚１７２は、貼着面２２ａよりも若干広い幅を有するとともに、センサ部２１の長手方向の長さは、素子側端末被覆部１７１におけるセンサ部２１の長手方向の長さと略等しく形成されている。この素子側取付脚１７２は、ターミナル支持部４１において中空絶縁体２２の外周面よりも外側に突出した部分、２つの素子接続ターミナル１５２において中空絶縁体２２の外周面よりも外側に突出した部分（各素子接続ターミナル３３における抵抗素子１５３が接続された側の長手方向の約半分の部分）、抵抗素子１５３及び素子接続部Ｐ１５を内部に埋設して封止している。従って、素子側封止部材１５４は、センサ部２１の長手方向と直交する一方向（本実施形態では貼着面２２ａと直交する方向）に長手となるとともに、貼着面２２ａの背面側よりも同貼着面２２ａの正面側に長くなっている。
【００９６】
また、素子側取付脚１７２には、一対の素子側取付凹部１７３が形成されている。尚、図１１（ｂ）には２つの素子側取付凹部１７３のうち一方の素子側取付凹部１７３のみを図示している。一対の素子側取付凹部１７３は、素子側取付脚１７２における幅方向（貼着面２２ａの幅方向と同方向）の両側、即ち素子側取付脚１７２におけるターミナル支持部４１の厚さ方向の両側に形成されている。また、一対の素子側取付凹部１７３は、センサ部２１の長手方向に沿って延びる溝状をなすとともに、素子側取付脚１７２をセンサ部２１の長手方向に貫通している。この一対の素子側取付凹部１７３は、ターミナル支持部４１の長手方向には、素子側電極接続部Ｐ１４と素子接続部Ｐ１５との間となる位置に形成されている。更に、一対の素子側取付凹部１７３は、ターミナル支持部４１の長手方向には、各素子接続ターミナル１５２における第１接続片５２と第２接続片５３との間となる位置に形成されている。そして、素子側取付脚１７２においては、一対の素子側取付凹部１７３が形成された部分の幅（貼着面２２ａの幅方向と同方向の幅）が狭くなっている。しかし、２つの素子接続ターミナル１５２の一部が、素子側取付脚１７２の内部で各素子側取付凹部１７３の背面に埋設されている。
【００９７】
このような素子側取付脚１７２は、ブラケット１２の長手方向の端部に形成された係合溝１２ａに、同素子側取付脚１７２における一対の素子側取付凹部１７３間の部分が挿入されることによりブラケット１２に係合される。そして、ブラケット１２における係合溝１２ａの両側の部分がそれぞれ一対の素子側取付凹部１７３内に挿入される。従って、異物検知センサ１３における素子側封止部材１５４側の長手方向の端部は、素子側取付脚１７２によってブラケット１２に固定される。
【００９８】
このようにすると、素子接続部Ｐ１５が、素子側電極接続部Ｐ１４に対して素子接続ターミナル１５２上でセンサ部２１の長手方向と直交する方向にずれているため、抵抗素子１５３を、素子接続ターミナル１５２の短手方向の両端のうちセンサ部２１と反対側の端よりもセンサ部２１に近い位置に配置しやすい。そして、抵抗素子１５３を、素子接続ターミナル１５２の短手方向の両端のうちセンサ部２１と反対側の端よりもセンサ部２１に近い位置に配置することにより、抵抗素子１５３が素子接続ターミナル１５２よりもセンサ部２１の長手方向にセンサ部２１と反対側に突出して配置される場合に比べて、素子側封止部材１５４をセンサ部２１の長手方向に小型化することが可能となる。従って、素子接続ターミナル１５２が配置された側のセンサ部２１の長手方向の端部において、センサ部２１をその長手方向に長くすることができる。その結果、センサ部２１の長手方向に異物の検知範囲をより広くすることができる。
【００９９】
尚、図１１に示した例では、電極線２３，２４は、第１接続片５２とターミナル本体５１とによって挟み込まれた後に半田付により素子接続ターミナル１５２に電気的に接続されている。また、抵抗素子１５３の接続脚１５３ａは、第２接続片５３とターミナル本体５１とによって挟み込まれた後に半田付けにより素子接続ターミナル１５２に電気的に接続されている。しかしながら、電極線２３，２４は、半田付けを行うことなく、第１接続片５２とターミナル本体５１とによって挟み込まれてかしめられるだけで素子接続ターミナル１５２に電気的に接続されてもよい。同様に、抵抗素子１５３の接続脚１５３ａは、半田付けを行うことなく、第２接続片５３とターミナル本体５１とによって挟み込まれてかしめられるだけで素子接続ターミナル１５２に電気的に接続されてもよい。また、電極線２３，２４及び抵抗素子１５３は、溶接により素子接続ターミナル１５２に電気的に接続されてもよい。
【０１００】
・上記実施形態では、センサ部２１は、２本の電極線２３，２４を備えている。しかしながら、センサ部２１が備える電極線の数は、２本に限らず、複数本であればよい。
・上記実施形態では、電極線２３，２４は、中空絶縁体２２の長手方向に螺旋状に延びている。しかしながら、電極線２３，２４は、中空絶縁体２２の長手方向に沿って直線状に延びるものであってもよい。
【０１０１】
・上記実施形態では、各電極線２３，２４は、導電性細線を撚り合わせて形成され可撓性を有する中心電極２５と、導電性及び弾性を有し中心電極２５の外周を被覆する円筒状の導電被覆層２６とから構成されている。しかしながら、各電極線２３，２４は、可撓性を有する１本の金属線であってもよい。
【０１０２】
・上記実施形態では、異物検知センサ１３は、ドアパネル５の周縁部（取付け場所）に配置されている。しかしながら、異物検知センサ１３は、ドアパネル５の周縁部と対向する後部開口部４の周縁部（取付け場所）に配置されてもよい。また、異物検知センサ１３は、電動バックドア装置２に備えられる異物検知装置１１に限らず、ドアパネルをスライド移動させて車両の側面に設けられた乗降口を開閉する電動スライドドア装置に備えられる異物検知装置に使用されてもよい。また、異物検知センサ１３は、モータ等の駆動力によってドアパネルを移動させて開閉作動させるドア開閉装置に備えられる異物検知装置に使用される以外に、異物の接触を検知するための装置に使用されてもよい。
【符号の説明】
【０１０３】
１２…ブラケット、２１…センサ部、２２…中空絶縁体、２２ａ…貼着面、２２ｄ…中空絶縁体の長手方向の端部としての第１端部、２２ｅ…中空絶縁体の長手方向の端部としての第２端部、２３，２４…電極線、３２，１０３，１１３，１４１…支持部材、３３，１０２，１２１，１３１…ターミナル、３４…封止部材、７１，７２…リード線、８２…取付脚、８３…取付凹部、１１１…ターミナルとしての第１ターミナル、１１２…ターミナルとしての第２ターミナル、１５２…素子接続ターミナル、１５３…抵抗素子、１５４…素子側封止部材、Ｐ１，Ｐ４，Ｐ７，Ｐ９，Ｐ１１，Ｐ１３…電極接続部、Ｐ２，Ｐ５，Ｐ６，Ｐ８，Ｐ１０，Ｐ１２…リード線接続部、Ｐ３…引出位置、Ｐ１４…素子側電極接続部、Ｐ１５…素子接続部。
【図１】
2013232397.tif 000003
【図２】
2013232397.tif 000004
【図３】
2013232397.tif 000005
【図４】
2013232397.tif 000006
【図５】
2013232397.tif 000007
【図６】
2013232397.tif 000008
【図７】
2013232397.tif 000009
【図８】
2013232397.tif 000010
【図９】
2013232397.tif 000011
【図１０】
2013232397.tif 000012
【図１１】
2013232397.tif 000013